(57)【要約】【課題】本発明の目的は、老人や目の不自由な方々であっても開封方向を判別することのできる飯塊包装シートを提供する。【解決手段】本発明の飯塊を包装する包装シート１０は、外フィルム２０と内フィルム３０との間にシート状食品４０を挟んで構成され、前記外フィルムは、幅方向となる左右に引っ張ることで破断可能な易破断部２１が長手方向の全長に亘って形成されており、前記易破断部又はその近傍を境として、前記外フィルムは、左右の手触りが異なる。【選択図】図３
2020045138.tif 000002
【特許請求の範囲】
【請求項１】
飯塊を包装する包装シートであって、
外フィルムと内フィルムとの間にシート状食品を挟んで構成され、
前記外フィルムは、幅方向となる左右に引っ張ることで破断可能な易破断部が長手方向の全長に亘って形成されており、
前記易破断部又はその近傍を境として、前記外フィルムは、左右の手触りが異なる、
ことを特徴とする飯塊を包装する包装シート。
【請求項２】
前記外フィルムは、前記易破断部の左右何れか一方の側に凹凸が形成されている、
請求項１に記載の飯塊を包装する包装シート。
【請求項３】
前記凹凸は、エンボス加工により形成される、
請求項２に記載の飯塊を包装する包装シート。
【請求項４】
前記外フィルムは、前記易破断部にて熱溶着された２枚の外フィルム片から構成されており、一方の外フィルム片が他方の外フィルム片と手触りが異なる、
請求項１乃至請求項３の何れかに記載の飯塊を包装する包装シート。
【請求項５】
前記易破断部は、前記外フィルムの長手方向の全長に亘って所定間隔の切込みであり、前記外フィルムは、前記易破断部を挟んで手触りが異なる、
請求項１乃至請求項３の何れかに記載の飯塊を包装する包装シート。
【請求項６】
前記外フィルムは、前記シート状食品と対向する面に、前記易破断部の前記切込みを塞ぐ細幅のカバーフィルム片が熱溶着されている、
請求項５に記載の飯塊を包装するシート。
【請求項７】
請求項１乃至請求項６の何れかに記載の包装シートにより飯塊を包装してなる包装飯塊。
【発明の詳細な説明】
【技術分野】
【０００１】
本発明は、飯塊を包装する、内フィルムと外フィルムとの間にシート状食品を挟んで形成した包装シートに関するものであり、より具体的には、開封方向を手触りによって容易に理解することのできる飯塊包装シートに関するものである。
【背景技術】
【０００２】
三角おにぎり飯等の飯塊を包装シートで包装した所謂包装飯塊がコンビニエンスストア等で販売されている。包装シートは、外フィルムと内フィルムとの間にシート状食品（海苔）を挟んで形成した、三層構造の包装シートが広く知られている。
【０００３】
例えば、特許文献１の包装飯塊では、包装シートの底辺側の２つの角近傍を掴み、左右に引っ張るだけで包装シートを中央で分断させて包装を解き、シート状食品に包まれた飯塊を得られるようにしている。
【先行技術文献】
【特許文献】
【０００４】
【特許文献１】特許第５７５７７７０号公報
【発明の概要】
【発明が解決しようとする課題】
【０００５】
明かりのない場所で包装飯塊の包装を解く場合、また、老人や目の不自由な方々が包装飯塊の包装を解く場合、底辺側の２つの角部が何れの角部であるか判別することが困難である。
【０００６】
本発明の目的は、老人や目の不自由な方々であっても開封方向を判別することのできる飯塊包装シートを提供することである。
【課題を解決するための手段】
【０００７】
本発明の飯塊を包装する包装シートは、
飯塊を包装する包装シートであって、
外フィルムと内フィルムとの間にシート状食品を挟んで構成され、
前記外フィルムは、幅方向となる左右に引っ張ることで破断可能な易破断部が長手方向の全長に亘って形成されており、
前記易破断部又はその近傍を境として、前記外フィルムは、左右の手触りが異なる。
【０００８】
前記外フィルムは、前記易破断部の左右何れか一方の側に凹凸が形成された構成とすることができる。
【０００９】
前記凹凸は、エンボス加工により形成することができる。
【００１０】
前記外フィルムは、前記易破断部にて熱溶着された２枚の外フィルム片から構成されており、一方の外フィルム片が他方の外フィルム片と手触りが異なる構成とすることができる。
【００１１】
前記易破断部は、前記外フィルムの長手方向の全長に亘って所定間隔の切込みであり、前記外フィルムは、前記易破断部を挟んで手触りが異なるように構成することもできる。この場合、前記外フィルムは、前記シート状食品と対向する面に、前記易破断部の前記切込みを塞ぐ細幅のカバーフィルム片が熱溶着された構成とすることができる。
【００１２】
本発明の包装飯塊は、上記記載の包装シートにより飯塊を包装してなる。
【発明の効果】
【００１３】
本発明の包装シートによれば、易破断部を挟んで外フィルムの手触りが異なるから、飯塊を包装してなる包装飯塊を触ったときに、その手触りから何れの方向に易破断部があるかを判断することができる。そして、手触りの異なる外フィルムをそれぞれ左右の手で掴んで引っ張ることにより包装を解くことができる。従って、明かりのない場所で包装を解く場合、また、老人や目の不自由な方々が包装を解く場合であっても、何れの方向に外フィルムを引っ張ればよいか理解し易く、上手く包装を解くことができる。
【図面の簡単な説明】
【００１４】
【図１】図１は、本発明の飯塊を包装する包装シートの分解斜視図である。
【図２】図２は、包装シートの幅方向断面図である。
【図３】図３は、本発明の包装シートにより飯塊を包装してなる包装飯塊の斜視図である。
【図４】図４は、包装飯塊の包装を解く手順を示す斜視図である。
【図５】図５は、外フィルムの他の実施形態を示す包装シートの幅方向断面図である。
【発明を実施するための形態】
【００１５】
以下、本発明について、図面を参照しながら説明を行なう。
【００１６】
図１に示すように、包装シート１０は、外フィルム２０と内フィルム３０との間にシート状食品４０を挟んで形成される。図示の包装シート１０は、略矩形形状である。なお、以下の説明では、図１に記載のとおり、外フィルム２０の長辺に沿う方向を長手方向、これに直交する短辺方向を幅方向と称する。
【００１７】
外フィルム２０は、幅方向となる左右に引っ張ることで容易に破断する易破断部２１が形成されている。図１及び図２の実施形態では、外フィルム２０は、幅方向の略中央で重なる２枚の外フィルム片２６，２７から構成し、図２に示すように、外フィルム片２６，２７どうしを重なり部分で２列に熱溶着２９，２９した易破断部２１を有する。易破断部２１は、より容易に破断可能となるように、図示の外フィルム片２６，２７は、熱溶着２９，２９の列の間に、長手方向に所定間隔でミシン目の如き複数の切込み２２をそれぞれ形成している。易破断部２１は、外フィルム２０の幅方向略中央に形成しているが、左右のずれた位置に形成しても構わない。
【００１８】
易破断部２１を挟んで幅方向に配置される外フィルム片２６と外フィルム片２７は、左右で手触りが異なるように、表面の加工又は材質を変えて構成される。図示では、左側に位置する符号２６で示す外フィルム片は、滑らかな表面を有し、右側に位置する符号２７で示す外フィルム片にエンボス加工を施すことにより凹凸２７ａ（図１中丸囲みで拡大して示す）を形成している。なお、易破断部２１を挟んで外フィルム２０の左右の手触りが異なる構成であれば、凹凸２７ａに代えて粗面や梨地等としても構わない。また、外フィルム片２６と外フィルム片２７の材質、材料、厚さなどを変えることで手触りを変えるようにしてもよい。また、手触りは、易破断部２１の近傍で変わるようにしてもよいし、部分的に変えるようにしても構わない。
【００１９】
シート状食品４０は、海苔を例示できる。なお、シート状食品４０は、おぼろ昆布をシート状に形成したもの、鯣を薄く伸したもの等、薄手の食品であれば特に限定されるものではない。
【００２０】
内フィルム３０は、外フィルム２０の易破断部２１と対向する位置で幅方向に分断可能な構成とする。図示の実施形態では、内フィルム３０は、幅方向の略中央で重なる２枚の内フィルム片３１，３２から構成している。なお、図２に示すように、内フィルム片３１，３２どうしの重なり部には、熱溶着を施していないが、適宜点溶着等を施すこともできる。
【００２１】
上記構成の外フィルム２０、シート状食品４０及び内フィルム３０は、図１に示すように、外フィルム２０と内フィルム３０との間にシート状食品４０を介在させた状態で、図２に示すように、シート状食品４０の外周側を熱溶着１４し、包装シート１０が形成される。シート状食品４０の長手方向、幅方向の一端又は両端近傍に、適宜専用着又は点溶着を施して、シート状食品４０のズレを防止することが望ましい
【００２２】
本発明の包装シート１０により包装される飯塊５０は、白米やかやくご飯などを固めて、扁平形状とした塊である。たとえば、飯塊５０は、略三角形の両側面が略平行となり、該両側面どうしを平面上又は曲面状の周面にて繋いだ形状、両側面を円形,矩形とした形状とすることができる。飯塊５０には、部分的或いは全体に胡麻等の振掛け食品を振り掛けたり、具材を載せたり、具材を内部に挟むようにしてもよい。
【００２３】
然して、上記包装シート１０の内フィルム３０側に飯塊５０を載せ、飯塊５０を包み込むように巻き付けて包装し、包装シート１０の端縁をテープや熱溶着により剥がれないように止着することで図３に示すように包装飯塊６０が形成される。包装飯塊６０は、図３に示すように、角部２８を折り曲げて端シール１２などで止着することで、角部２８の隙間から湿気や異物が内部に侵入することを防止できる。なお、包装シート１０は袋状に形成し、内部に飯塊５０を収容した構成としてもよい。
【００２４】
図示の実施形態では、飯塊５０は側面が三角形のものであり、易破断部２１は、飯塊５０の頂点から底面の略中央を通過するよう配置されている。そして、包装を解く際には、易破断部２１を挟む左右の外フィルム片２６，２７の一方（図示では外フィルム片２６）を片手で掴み、他方の外フィルム片２７の端シール１２を剥がして図４に示すように角部２８を立ち上がらせ、そのまま当該角部２８を矢印方向に引っ張る。これにより、外フィルム２０は各外フィルム片２６，２７に形成された切込み２２どうしが繋がって易破断部２１が破断し、切り離された外フィルム片２７と内フィルム片３２がシート状食品４０と飯塊５０を残して引き出される。この状態で残った外フィルム片２６と内フィルム片３１を引き出すことで包装を解くことができ、シート状食品４０に包まれた飯塊５０が出現し、食することができる。なお、残りの外フィルム片２６と内フィルム片３１をすぐには引き出さず、外フィルム片２７と内フィルム片３２を引き出すことで露出したシート状食品４０に包まれた飯塊５０を食し、ある程度食したところで残りの外フィルム片２６と内フィルム片３１を引き出すようにしてもよい。
【００２５】
明かりのない場所で包装飯塊６０の包装を解く場合、また、老人や目の不自由な方々が包装飯塊６０の包装を解く場合、外フィルム片２６，２７を掴む位置、また、その引張り方向がわからないことがある。包装を解くには、外フィルム片２６（又は２７）を掴んで、易破断部２１に対して略垂直に他方の外フィルム片２７（又は２６）を引っ張らなければならない。すなわち、たとえば図３における包装飯塊６０の頂点と何れか一方の底辺の角部２８を掴んで引っ張っても易破断部２１は破断せず、包装を解くことはできない。
【００２６】
そこで、本発明では、易破断部２１を挟んで左右に配置された外フィルム片２６，２７の手触りを変えることで、手触りの異なる外フィルム片２６，２７の一方を掴み、他方を引っ張ることで易破断部２１に略垂直方向に力を加えて、易破断部２１を破断して包装を解くことができるようにした。
【００２７】
これにより、明かりのない場所で包装飯塊６０の包装を解く場合、また、老人や目の不自由な方々が包装飯塊６０の包装を解く場合、包装飯塊６０の手触りで外フィルム片２６，２７の引張り方向を容易に理解することができるというすぐれた効果を有する。
【００２８】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００２９】
もちろん、外フィルム２０の易破断部２１の構成、内フィルム３０の構成は上記実施形態に限定されるものではない。たとえば、包装シート１０は、図５に示すように、外フィルム２０を１枚のフィルムから構成し、易破断部２１として当該フィルムの長手方向の全長に亘って所定間隔の切込み２３を形成し、切込み２３を挟んで左右のフィルムの手触りを変えるようにしてもよい。この場合、湿気等が切込み２３から侵入しないように細幅のカバーフィルム片２４で切込み２３を塞ぐことが望ましい。カバーフィルム片２４は、外フィルム２０に長手方向の一辺を熱溶着２５することで取り付けることができる。
【符号の説明】
【００３０】
１０  包装シート
２０  外フィルム
２１  易破断部
２６  外フィルム片
２７  外フィルム片
２７ａ  凹凸
３０  内フィルム
４０  シート状食品
５０  飯塊
６０  包装飯塊
【図１】
2020045138.tif 000003
【図２】
2020045138.tif 000004
【図３】
2020045138.tif 000005
【図４】
2020045138.tif 000006
【図５】
2020045138.tif 000007